(57)【特許請求の範囲】
【請求項１】
キーの鍵山が板厚方向の中央の尾根部で仕切られて左右に二列状に形成され、このキーが挿し込まれる板タンブラのキー挿通孔に、キーの鍵山と係合する係合段差部が形成され、この係合段差部にキーの鍵山が係合すると板タンブラが内筒内に没して内筒が外筒に対し回転自在になる板タンブラ錠であって、上記の板タンブラが、同一方向にバネで弾発されると共に、キーの尾根部に対応するキー挿通孔の短辺の真中の位置に、この短辺の両肩位置に段差状に形成されている係合段差部より凹まれて切り欠き部が形成され、この切り欠き部が各板タンブラについて高低を違えて形成され、上記のバネで弾発されるこの板タンブラを係止するためのストッパーが、内筒の横孔から板タンブラを収納する内筒の収納溝に突き出され、このストッパーの先端部が板タンブラの側部の係止段部に係止するように形成されていることを特徴とする板タンブラ錠。
【請求項２】
請求項１記載の板タンブラ錠であって、切り欠き部が各板タンブラについて高低を違えて形成されるのに代え、隣り合う板タンブラについて違えられていることを特徴とする板タンブラ錠。
【請求項３】
請求項１又は２記載の板タンブラ錠であって、切り欠き部が矩形状に形成されていることを特徴とする板タンブラ錠。
【請求項４】
請求項１乃至３の何れかに記載の板タンブラ錠であって、外筒の内周面に形成されている板タンブラの係止溝が、軸心を中心に周方向に９０度ずつあけられて上下左右の位置に形成されていることを特徴とする板タンブラ錠。
【発明の詳細な説明】
【０００１】
【発明の属する技術分野】
本発明は、シリンダ錠に関し、更に詳しくはキーの鍵山で操作する板タンブラを備え、正規のキーが鍵孔に挿入されると板タンブラが内筒内に没して内筒が回転可能になるよう形成された板タンブラ錠に関するものである。
【０００２】
【従来の技術】
従来この種のシリンダ錠としては、キーの鍵山を板厚方向の中央の尾根部で仕切って左右に二列状に形成し、このキーを挿し込む板タンブラのキー挿通孔に、キーの鍵山と係合する係合段差部を形成し、この係合段差部にキーの鍵山が係合すると板タンブラが内筒内に没して内筒が外筒に対し回転自在になるよう形成したものがある。
【０００３】
【発明が解決しようとする課題】
ところでこの種のシリンダ錠は、キーの鍵山を二列に形成し、各板タンブラとの組み合わせの多種多様化を可能にして鍵山が一列のものよりキーの複製や不正開錠行為（以下、「ピッキング」という）を困難にさせるものである。
【０００４】
而して従来のこの種のシリンダ錠は、板タンブラのキー挿通孔に、鍵山に対応する凸部と凹部が形成されているだけであったから、従来品の場合は板タンブラの係合段差部にピッキング用具をあてがって板タンブラを操作し易いものであった。従って従来品を使用すると、防犯性能が不十分でピッキングの被害を受け易い、という問題点があった。
【０００５】
本発明は、このような従来品の問題点に鑑み、提案されたものである。
【０００６】
従って本発明の技術的課題は、キーの複製やピッキングを困難にさせ、防犯性が高くなるよう形成した板タンブラ錠を提供することにある。
【０００７】
【課題を解決するための手段】
本発明は、上記の課題を解決するために、次のような技術的手段を採る。
【０００８】
即ち本発明は、図１等に示されるように、キー１の鍵山１ａが板厚方向の中央の尾根部１ｂで仕切られて左右に二列状に形成され、このキー１が挿し込まれる板タンブラ３のキー挿通孔３ａに、キー１の鍵山１ａと係合する係合段差部３ｂが形成され、この係合段差部３ｂにキー１の鍵山１ａが係合すると板タンブラ３が内筒２内に没して内筒２が外筒４に対し回転自在になる板タンブラ錠であって、上記の板タンブラ３が、同一方向にバネ５で弾発されると共に、キー１の尾根部１ｂに対応するキー挿通孔３ａの短辺の真中の位置に、この短辺の両肩位置に段差状に形成されている係合段差部３ｂより凹まれて切り欠き部３ｃが形成され、この切り欠き部３ｃが各板タンブラ３について高低を違えて形成され、上記のバネ５で弾発されるこの板タンブラ３を係止するためのストッパー６が、内筒２の横孔２ｄから板タンブラ３を収納する内筒２の収納溝２ｃに突き出され、このストッパー６の先端部が板タンブラ３の側部の係止段部３ｄに係止するように形成されていることを特徴とする（請求項１）。
【０００９】
ここで、上記の係合段差部３ｂは、キー挿通孔３ａの短辺の両肩位置に段差状に形成されるものである。又ここで、切り欠き部３ｃが各板タンブラ３について高低を違えて形成され、とは、切り欠き部３ｃの高さ（深さ）Ｈ（図６等参照）を板タンブラ３ごと相違させる、ということを意味し、具体的には図７に示されるように、キー挿通孔３ａの短辺の真中に、切り欠き部３ｃの切り欠き長さを夫々違えて形成することで実現される。
【００１０】
又本発明は、切り欠き部３ｃが各板タンブラ３について高低を違えて形成されるのに代え、図１０に示されるように、隣り合う板タンブラ３について違えられているのでも良い（請求項２）。
【００１１】
なぜならこの場合も、本発明の課題を達成できるからである。又この場合は、切り欠き部３ｃが同じ状態の板タンブラ３を組み合わせて使用できるから、その分、製造コスト、加工コストを低廉化できる。なお図１０において、３１は、切り欠き部３ｃの高さＨが同一の板タンブラである。
【００１２】
又本発明の場合、切り欠き部３ｃは、図示されるように、矩形状に形成されているのが好ましい（請求項３）。
【００１３】
本発明の場合、切り欠き部３ｃの形状は、例えば凹湾曲状や蟻溝状等、任意である。但しこの本発明のように、切り欠き部３ｃが矩形状に形成される場合は、例えば打ち抜き金型の製造を容易化できるから、これによれば板タンブラ３の加工、製造を、簡単化、低コスト化できる、という利点がある。
【００１４】
更に本発明は、外筒４の内周面に形成されている板タンブラ３との係止溝４ａが、軸心を中心に周方向に９０度ずつあけられて上下左右の位置に形成されているのが好ましい（請求項４）。
【００１５】
なぜならこれによれば、９０度の回転操作で施開錠でき、使い勝手が良くなるからである。
【００１６】
【発明の実施の形態】
以下、本発明の好適な一実施形態を添付図面に従って説明する。
【００１７】
図１〜図４等において、１はキーであり、１ａはこのキー１の鍵山である。この鍵山１ａは、板厚方向の中央の尾根部１ｂで仕切られて左右に二列状に形成されている。又このキー１は、上下端を兼用できるよう、鍵山１ａが上下に同じ状態で形成されると共に、両側面に溝１ｃが高さを違え、且つ長手方向に沿って延長状に形成されている。この溝１ｃは、内筒２の鍵孔２ａの内面に形成された凸段差部２ｂと係合するものである。従って本発明品は、この凸段差部２ｂと係合する溝１ｃを有するキー１だけが鍵孔２ａに挿し込み可能になるものである。
【００１８】
又３は、板タンブラである。この板タンブラ３は、一定の間隔をあけて軸方向に複数並列状に配置されている。この板タンブラ３は、キー１が挿し込まれるキー挿通孔３ａを備えて形成されている。このキー挿通孔３ａには、キー１の鍵山１ａと係合する係合段差部３ｂが形成されている。
【００１９】
板タンブラ３は、係合段差部３ｂにキー１の鍵山１ａが係合すると、内筒２内に没して外筒４との係止状態が解かれるものである。そしてこれにより内筒２が、外筒４に対して回転可能になるものである。
【００２０】
上記の板タンブラ３は、内筒２の収納溝２ｃに収納され、図８に示されるように、バネ５でこの実施形態では下方に弾発されている。又この板タンブラ３は、キー１の尾根部１ｂに対応するキー挿通孔３ａの位置に、上記の係合段差部３ｂより凹まれて切り欠き部３ｃが形成されている。
【００２１】
上記の切り欠き部３ｃは、この実施形態では矩形状に形成され、図６、図７に示されるように、各板タンブラ３について高低を違えて形成されている。図６において、Ｈは、切り欠き部３ｃの高さ（深さ）を示す。本発明品は、この切り欠き部３ｃの高さＨが、各板タンブラ３について異なるよう形成されている。
【００２２】
上記の外筒４は、図１等に示されるように、内周面に板タンブラ３との係止溝４ａが形成されている。この係止溝４ａは、この実施形態では軸心を中心に周方向に９０度ずつあけられて上下左右の位置に夫々形成されている。
【００２３】
又６（図１、図８参照）は、バネ５で弾発される板タンブラ３を係止させるためのストッパーである。このストッパー６は、内筒２の横孔２ｄから収納溝２ｃに突き出され、先端部が板タンブラ３の側部の係止段部３ｄと係止するよう形成されている。
【００２４】
次に本発明の作用を、図８、図９、図１１等を参照して説明する。
【００２５】
先ず使用者が、キー１を内筒２の鍵孔２ａに挿し込むと、鍵山１ａが板タンブラ３の係合段差部３ｂに係合し、各板タンブラ３がバネ５の弾発力に抗して、図８の状態から押し上げられ、図１に示されるように、内筒２内に没する。従ってこれにより、内筒２と外筒４のシェアラインが一致し、内筒２がキー１と共に回転可能になる。
【００２６】
而して本発明品は、上記の通り、各板タンブラ３の切り欠き部３ｃが高低を違えて形成されている。従って不正開錠を行なおうとする者が、例えば図１１に示されるように、ピッキング用具７を鍵孔２ａに挿し込んで操作すると、本発明品の場合は切り欠き部３ｃの高低に応じて板タンブラ３が押し上げられることになる。換言すると本発明品の場合は、ピッキング用具７によって各板タンブラ３を一律に操作できず、何れかの板タンブラ３の上端又は下端が外筒４の係止溝４ａに係止され、その結果不正開錠が防止されるものである。
【００２７】
以上の処において、本発明は、全ての板タンブラ３が、切り欠き部３ｃの高さＨ（図６等参照）を違えて形成される場合には限られない。即ち本発明は、図１０に示されるように、隣り合う板タンブラ３について切り欠き部３ｃの高さＨが違えられて形成されるのでも良い。この実施形態の場合は、切り欠き部３ｃの高さＨが同一に形成された複数の板タンブラ３１を組み合わせて形成されているものである。
【００２８】
【発明の効果】
以上説明したように本発明は、鍵山を二列状に形成したキーを使用する板タンブラ錠であって、各板タンブラを同一方向にバネで弾発し、キーの尾根部に対応するキー挿通孔の短辺の真中の位置に、この短辺の両肩位置に段差状に形成している係合段差部より凹ませて切り欠き部を形成し、この切り欠き部を各板タンブラについて高低を違えて形成し、上記のバネで弾発されるこの板タンブラを係止するためのストッパーを、内筒の横孔から板タンブラを収納する内筒の収納溝に突き出し、このストッパーの先端部を板タンブラの側部の係止段部に係止させるように形成したものである。
【００２９】
従って本発明の場合は、鍵孔にピッキング用具を挿し込んで板タンブラを操作しようとしても、各板タンブラについて切り欠き部の高低が違えられているため、各板タンブラを一律に操作することができない。
それ故これによれば、不正開錠され難いから、ピッキングの被害を減らすことができ、防犯性を向上させることができる。
【図面の簡単な説明】
【図１】本発明の板タンブラ錠の好適な一実施形態を示す要部縦断面図である。
【図２】図１のIIーII線における要部断面図である。
【図３】キーの側面図である。
【図４】図３のＩＶーＩＶ線における拡大断面図である。
【図５】同上板タンブラ錠の要部側面図である。
【図６】Ａは図５のＡーＡ線における板タンブラの正面図、Ｂは図５のＢーＢ線における板タンブラの正面図である。
【図７】Ａ〜Ｉとも板タンブラを示す正面図である。
【図８】同上板タンブラ錠の施錠時の要部縦断面図である。
【図９】図８のＩＸーＩＸ線における要部断面図である。
【図１０】同上板タンブラ錠の他の実施形態を示す要部縦断面図である。
【図１１】同上板タンブラ錠の作用を説明するための要部縦断面図である。
【符号の説明】
１    キー
１ａ  鍵山
１ｂ  尾根部
２    内筒
３    板タンブラ
３ａ  キー挿通孔
３ｂ  係合段差部
３ｃ  切り欠き部
４    外筒
５    バネ
【図１】
0003905715.tif 000002
【図２】
0003905715.tif 000003
【図３】
0003905715.tif 000004
【図４】
0003905715.tif 000005
【図５】
0003905715.tif 000006
【図６】
0003905715.tif 000007
【図７】
0003905715.tif 000008
【図８】
0003905715.tif 000009
【図９】
0003905715.tif 000010
【図１０】
0003905715.tif 000011
【図１１】
0003905715.tif 000012